(57)【要約】      （修正有）【課題】ゴルフのプレー中に上部カバーを外した状態のゴルフバッグに装着可能なバッグ表面を衝撃や傷から保護するゴルフバッグ用保護具を提供する。【解決手段】ゴルフバッグの外周に沿って装着しゴルフバッグの表面を保護するゴルフバッグ保護具であって、裏面の少なくとも一部に面ファスナーを有する帯状の本体１と、前記本体の前記面ファスナーに対応する面ファスナーを表面に備えると共に前記ゴルフバッグの上側開口部付近に有する留め具に対応する留め具を裏面に有する第一取付具３と、前記本体の端に設けられ当該端どうしを連結する紐状又はベルト状の第二取付具２と、を備えたことを特徴とするゴルフバッグ用保護具を提供する。【選択図】図１
0003234944.tif 000002
【実用新案登録請求の範囲】
【請求項１】
ゴルフバッグの外周に沿って装着しゴルフバッグの表面を保護するゴルフバッグ保護具であって、
裏面の少なくとも一部に面ファスナーを有する帯状の本体と、
前記本体の前記面ファスナーに対応する面ファスナーを表面に備えると共に前記ゴルフバッグの上側開口部付近に有する留め具に対応する留め具を裏面に有する第一取付部と、
前記本体の端に設けられ当該端どうしを連結する紐状又はベルト状の第二取付部と、
を備えたことを特徴とするゴルフバッグ用保護具。
【請求項２】
前記本体の上辺は、両端から上方に向かってカーブを描き、両端と中央との中間点を越えると下方に向かうカーブとなっていることを特徴とする請求項１に記載のゴルフバッグ保護具。
【請求項３】
前記本体の下辺は、両端から上方に向かってカーブを描き、両端と中央との中間点を越えると下方に向かうカーブとなっていることを特徴とする請求項１又は請求項２に記載のゴルフバッグ保護具。
【請求項４】
前記本体は、前記本体の上部に、前記本体の前側に垂らして使用する上辺の長辺と略同寸の長辺を有するシート形状のカバーが設けられたことを特徴とする請求項１から請求項３いずれか１つにゴルフバッグ用保護具。
【請求項５】
前記本体は、クッション性を有する素材からなることを特徴とする請求項１から請求項４いずれか１つに記載のゴルフバッグ用保護具。
【請求項６】
前記本体は、空気の層を有する素材からなることを特徴とする請求項１から請求項４いずれか１つに記載のゴルフバッグ用保護具。
【考案の詳細な説明】
【技術分野】
【０００１】
本考案は、ゴルフのプレー中に上部カバーを外した状態のゴルフバッグに装着可能なバッグ表面を衝撃や傷から保護するゴルフバッグ用保護具に関する。
【背景技術】
【０００２】
ゴルフバッグは、ゴルフのプレー中、キャリーカートに載せられゴルフ場内を運搬される。運搬の際、上部カバーを外した状態で、ベルトやサイドバーでバッグ本体の上部を固定するが、その際、プレーに応じてすぐに中のゴルフクラブ類を取り出せるよう、バッグ上の開口部が外側を向くようにバッグ本体を斜めに固定する。そのため、ゴルフバッグの外側のベルトやサイドバーや触れる部分には、中に収納されたゴルフクラブ類やバッグ本体の重量がかかることから、相当の負荷がかかる。
【先行技術文献】
【特許文献】
【０００３】
【特許文献１】実用新案登録第３２１４４８８号公報
【特許文献２】実用新案登録第３２０９２１２号公報
【考案の概要】
【考案が解決しようとする課題】
【０００４】
ゴルフバッグの表面を保護するために、各種のゴルフバッグカバーが考案されている。特許文献１は、高伸縮素材で構成されたゴルフバッグ全体をすっぽりと覆うこともできるカバーである。また、特許文献２は、ゴルフバッグの底部のみを覆うカバーである。特許文献１のゴルフバッグカバーは、ゴルフバッグ全体を、すっぽり覆うことで、バッグ表面を保護できる一方、ゴルフバッグの上部カバーを装着した状態のゴルフバッグに使用する前提のカバーであり、上部まですっぽりと覆ってしまうため、カバーを装着した状態ではゴルフクラブの取り出しができない。また、高伸縮素材で構成されているので傷や汚れからゴルフバッグを保護することはできるが、ゴルフバッグにかかる衝撃を緩衝する効果は低い。特許文献２のゴルフバッグカバーは、バッグ底部を傷や汚れから保護するものであるが、ゴルフのプレー中、カート等で運搬する際に、ベルトやカートのサイドバーが接触するバッグ側面上部を保護することはできない。
【０００５】
本考案では、ゴルフのプレー中、カート等で運搬する際に、ベルトやカートのサイドバーが接触するバッグ側面上部を保護し、重量負荷や衝撃を緩衝して傷や汚れも防止するゴルフバッグ用保護具を提供する。
【課題を解決するための手段】
【０００６】
本考案のゴルフバッグ用保護具は、ゴルフバッグの外周に沿って装着しゴルフバッグの表面を保護するゴルフバッグ保護具であって、裏面の少なくとも一部に面ファスナーを有する帯状の本体と、前記本体の前記面ファスナーに対応する面ファスナーを表面に備えると共に前記ゴルフバッグの上側開口部付近に有する留め具に対応する留め具を裏面に有する第一取付部と、前記本体の端に設けられ当該端どうしを連結する紐状又はベルト状の第二取付部と、を備えたことを特徴とする。
【０００７】
この考案によれば、表面がクッション性を有する素材からなる帯状の本体がゴルフバッグにかかる衝撃や重量負荷を緩衝し、ゴルフバッグ表面に傷や汚れが付着することを防止することができる。また、前記ゴルフバッグの上側開口部付近に有する留め具に対応して前記本体の裏面に設けた第一取付具と、前記本体の端に設けられ当該端どうしを連結する紐状又はベルト状の第二取付具とで、ゴルフバッグにしっかりと固定でき、ゴルフのプレー中、ゴルフバッグを運搬する際に、傷がつきやすいゴルフバッグの上部表面をしっかりと保護することができる。
【０００８】
また、本考案のゴルフバッグ用保護具の本体の上辺は、両端から上方に向かってカーブを描き、両端と中央との中間点を越えると下方に向かうカーブとなっていることを特徴とする。
【０００９】
この考案によれば、ゴルフバッグ用保護具をゴルフバッグに装着した際に、ゴルフバッグ用保護具の中央上辺が下側に湾曲するラインを描くので、ゴルフバッグの上側開口部の前面が程よく開放され、ゴルフバッグ内のゴルフクラブを取り出しやすい。
【００１０】
また、本考案のゴルフバッグ用保護具の本体の下辺は、両端から上方に向かってカーブを描き、両端と中央との中間点を越えると下方に向かうカーブとなっていることを特徴とする。
【００１１】
この考案によれば、ゴルフバッグ用保護具をゴルフバッグに装着した際に、ゴルフバッグ用保護具の中央上辺が下側に湾曲するラインを描くので、ゴルフバッグ本体の前面が程よく開放され、ゴルフバッグ本体前面に設けられているポケットや収納部から物を出し入れしやすい。
【００１２】
また、本考案のゴルフバッグ用保護具の本体は、前記本体の上部に、前記本体の前側に垂らして使用する上辺の長辺と略同寸の長辺を有するシート形状のカバーが設けられたことを特徴とする。
【００１３】
この考案によれば、本体の上部に、前記本体の前側に垂らして使用する上辺の長辺と略同寸の長辺を有するシート形状のカバーが設けられているので、ゴルフバッグ本体上部のゴルフクラブ等の重量負荷がかかりやすい場所、傷がつきやすい場所を、より強固に保護することができ、ゴルフバッグ本体にかかる衝撃を緩和し、荷重の負担を軽減して、ゴルフバッグ本体の表面を保護することができる。
【００１４】
また、本考案のゴルフバッグ用保護具の本体は、クッション性を有する素材からなることを特徴とする。
【００１５】
この考案によれば、表面がクッション性を有する素材からなる帯状の本体がゴルフバッグにかかる衝撃や重量負荷を緩衝し、ゴルフバッグ表面に傷や汚れが付着することを防止することができる。また、前記ゴルフバッグの上側開口部付近に有する留め具に対応して前記本体の裏面に設けた第一取付具と、前記本体の端に設けられ当該端どうしを連結する紐状又はベルト状の第二取付具とで、ゴルフバッグにしっかりと固定でき、ゴルフのプレー中、ゴルフバッグを運搬する際に、傷がつきやすいゴルフバッグの上部表面をしっかりと保護することができる。
【００１６】
また、本考案のゴルフバッグ用保護具の本体は、前記本体は、空気の層を有する素材からなることを特徴とする。
【００１７】
この考案によれば、空気の層を有する素材からなる帯状の本体がゴルフバッグにかかる衝撃や重量負荷を緩衝し、ゴルフバッグ表面に傷や汚れが付着することを防止することができる。また、前記ゴルフバッグの上側開口部付近に有する留め具に対応して前記本体の裏面に設けた第一取付具と、前記本体の端に設けられ当該端どうしを連結する紐状又はベルト状の第二取付具とで、ゴルフバッグにしっかりと固定でき、ゴルフのプレー中、ゴルフバッグを運搬する際に、傷がつきやすいゴルフバッグの上部表面をしっかりと保護することができる。
【図面の簡単な説明】
【００１８】
【図１】本考案の実施の形態１のゴルフバッグ用保護具１００を示す平面図である。
【図２】本考案の実施の形態１のゴルフバッグ用保護具１００を示す底面図である。
【図３】ゴルフバッグの構造を説明するための参考図である。
【図４】ゴルフバッグの構造を説明するための参考図である。
【図５】本考案の実施の形態１のゴルフバッグ用保護具１００の使用方法を説明するための参考斜視図である。
【図６】本考案の実施の形態１のゴルフバッグ用保護具１００の使用方法を説明するための参考斜視図である。
【図７】本考案の実施の形態１のゴルフバッグ用保護具１００の使用方法を説明するための参考斜視図である。
【図８】本考案の実施の形態２のゴルフバッグ用保護具２００を示す平面図である。
【図９】本考案の実施の形態２のゴルフバッグ用保護具２００を示す底面図である。
【図１０】ゴルフバッグの構造を説明するための参考図である。
【図１１】ゴルフバッグの構造を説明するための参考図である。
【図１２】本考案の実施の形態２のゴルフバッグ用保護具２００の使用方法を説明するための参考斜視図である。
【図１３】本考案の実施の形態２のゴルフバッグ用保護具２００の使用方法を説明するための参考斜視図である。
【図１４】本考案の実施の形態２のゴルフバッグ用保護具２００の使用方法を説明するための参考斜視図である。
【図１５】本考案の実施の形態３のゴルフバッグ用保護具３００を示す平面図である。
【図１６】本考案の実施の形態３のゴルフバッグ用保護具３００を示す底面図である。
【図１７】ゴルフバッグの構造を説明するための参考図である。
【図１８】ゴルフバッグの構造を説明するための参考図である。
【図１９】本考案の実施の形態３のゴルフバッグ用保護具３００の使用方法を説明するための参考斜視図である。
【図２０】本考案の実施の形態３のゴルフバッグ用保護具３００の使用方法を説明するための参考斜視図である。
【図２１】本考案の実施の形態３のゴルフバッグ用保護具３００の使用方法を説明するための参考斜視図である。
【考案を実施するための形態】
【００１９】
以下、考案を実施するための最良の形態について、添付図面を参照して説明する
【００２０】
（実施の形態１）
図１は、本考案の実施の形態１のゴルフバッグ用保護具１００を示す平面図であって、図２は底面図である。図１に示すように、本考案の実施の形態１のゴルフバッグ保護具１００は、表面がクッション性を有する素材からなる帯状の本体１と、本体の１裏面であってゴルフバッグの上側開口部付近に有する留め具に対応する位置に着脱可能に設けた第一取付具３と、本体１の端に設けられ当該端どうしを連結する紐状の第二取付具２とを主に有する。実施の形態１のゴルフバッグ用保護具１００では、第一取付具３を４個備えているが、第一取付具３の数は、４個に限定されない。ゴルフバッグについている留め具の数に応じて、複数個準備してもよいし、ゴルフバッグ側留め具の数より少ない個数、１個または２個でもゴルフバッグに固定することは可能である。
【００２１】
本体１は、左右対称な形状であって、上辺は、両端から上方に向かってカーブを描き、両端と中央との中間点を越えると下方に向かうカーブとなっている。下辺も、上辺と同様のラインを描いており、両端から上方に向かってカーブを描き、両端と中央との中間点を越えると下方に向かうカーブとなっている。本体１の上辺が、ゆるやかな曲線形状であって、左右対称に、２つのなだらかな山となっており、その谷間の部分が中央にくるので、本体１を、ゴルフバッグ本体Ｇ１に装着したときに、ゴルフバッグの正面に、本体１の谷間の部分がくる。本体１の谷間の部分が正面にくることで、ゴルフクラブＰが正面に集まりやすくなり、ゴルフバッグから抜き差ししやすくなる。また、本体１の下辺は、上辺と同様のラインを描いている。上辺と下辺を同様の曲線とすることで、製造の際に、生地を切り出しやすく、生地の余りや切れ端が生じにくいので製造コストを抑えることができる。
【００２２】
本体１は、実施の形態１では、毛足の長いファー生地を表面に用いて、クッション性を有する本体１となっている。本体１は、毛足の長いファー生地のほか、ウレタン生地その他の緩衝材となる素材を内部に詰めて表面に布地やレザー生地を貼ったものでも良い。ゴルフバッグＧ１に装着したときに、外部からの衝撃や負荷を緩衝できるよう空気の層を有する素材、クッション性を備えた素材の本体１とすることが望ましい。発泡ウレタン、発泡ゴム等の気泡を有する気泡構造の素材でもよい。図２に示すように、本体１の裏面には、長辺方向に沿って帯状に面ファスナー１５が設けられている。実施の形態１のゴルフバッグ用保護具１００では、本体１の裏面の面ファスナー１は、ループ面が設けられている。
【００２３】
図１に示すように、第二取付具２は、実施の形態１のゴルフバッグ保護具１００では、紐形状であって、２本の第二取付具２は、本体１の両端に、それぞれ縫い付けられて設けられている。第二取付具２は、ゴルフバッグＧ１の背面で互いに結ぶことにより、ゴルフバッグＧ１に、本体１を固定する。第二取付具２の先端に、ボタンその他の留め具部材を設けて、互いに連結する構成としても良い。第一取付具３は、円形状の独立した部材であって、表面には第一固定具３１となる面ファスナーが設けられている。第一取付具３の第一固定具３１は、面ファスナーのフック面である。第一取付具３の第一固定具３１は、本体１の裏面の面ファスナー１５に対応しており、第一取付具３は、本体１の裏面に自由に着脱できる仕様となっている。
【００２４】
図２に示すように、第一取付具３の裏面には第二固定具３２となるスナップボタンが設けられている。第一取付具３の第二固定具３２のスナップボタンは、ゴルフバッグＧ１の上部開口部付近に備えられているゴルフバッグ側留め具Ｇ３に対応するスナップボタンである。ゴルフバッグ側留め具Ｇ３は、ゴルフバッグ上部カバーＧ２を固定するために備えられたものであって、すべてのゴルフバッグに設けられている構成部材であるが、本考案の実施例１のゴルフバッグ用保護具１００は、このゴルフバッグ側留め具Ｇ３を有効に活用し、ゴルフバッグ用保護具１００を、ゴルフバッグＧ１に固定するために有効活用する。
【００２５】
ゴルフバッグ側留め具Ｇ３は、すべてのゴルフバッグに設けられている構成部材ではあるが、設けられている位置や数は、個々の商品により、まちまちである。本考案の実施例１のゴルフバッグ用保護具１００は、第一取付具３の裏面の第二固定具３２で、ゴルフバッグ側留め具Ｇ３にしっかりと固定したあと、第一取付具３の表面の第一固定具３１を、本体１の裏面の面ファスナー１５に固定することになるが、本体１の裏面の面ファスナー１５が、帯状に設けられている為、第一取付具３の取り付け位置が限定されず、ゴルフバッグ側留め具Ｇ３の位置に応じで、任意の場所に固定することができる。
【００２６】
次に、図３から図７を示しながら、本考案の実施の形態１のゴルフバッグ補助具１００の使用方法について説明する。図３及び図４は、ゴルフバッグの構造を説明するための参考図である。図５からず７は、本考案の実施の形態１のゴルフバッグ用保護具１００の使用方法を説明するための参考斜視図である。
【００２７】
図３に示すように、一般的なゴルフバッグは、ゴルフクラブＰを収納するゴルフバッグ本体１と、ゴルフバッグの上部を覆うゴルフバッグ上部カバーＧ２からなる。図４に示すように、ゴルフバッグ本体Ｇ１の開口部の近傍には、ゴルフバッグ上部カバーＧ２と連結するためのゴルフバッグ側留め具Ｇ３が設けられている。略すべてのゴルフバッグにおいて、ゴルフバッグ側留め具Ｇ３は、スナップボタンからなり、ゴルフバッグ上部カバーＧ２の内側に設けられたスナップボタンと留め合わせて、ゴルフバッグ本体Ｇ１にゴルフバッグ上部カバーＧ２を連結することができる仕様となっている。ゴルフバッグ上部カバーＧ２を外すと、ゴルフバッグ本体Ｇ１の上側開口部が露出する。
【００２８】
本考案の実施の形態１のゴルフバッグ用保護具１００の使用方法について、最初に、図５に示すように、第一取付具３の裏面に設けられている第二固定部３２であるスナップボタンを、ゴルフバッグ本体１に設けられているゴルフバッグ側留め具Ｇ３であるスナップボタンに、嵌めて第一取付具３を、ゴルフバッグ本体に固定する。
【００２９】
次に、ゴルフバッグ用保護具１００の本体１を、第二取付具３の上を覆うように、ゴルフバッグの外周に沿ってあてがう。第一取付具３の表面には第一固定部３１である面ファスナーのフック面が設けられているので、本体１の裏面に設けられた面ファスナー１５のループ面に、第二取付具３の表面に設けられた面ファスナーのフック面が接触するようにして、上から軽く押すと。ゴルフバッグ用保護具１００を、ゴルフバッグ本体Ｇ１に、しっかりと固定することができる。
【００３０】
次に、図６に示すように、本体１の両端に設けられている第二取付具２を、ゴルフバッグ本体の背面で互いに結び合わせて連結し、ゴルフバッグ本体Ｇ１に、ゴルフバッグ用保護具１００を、しっかりと固定して装着する。第一取付具３が、しっかりとゴルフバッグＧ１に固定されているので、第二取付具２は、きつく縛らずとも、軽く結び合わせるだけでよい。結び方も蝶々結びにしたり、ネクタイ結びにしたり、結び方を変えることで、見た目を華やかにして、ゴルフバッグを装飾してお洒落に見せる効果もある。
【００３１】
本考案の実施例１のゴルフバッグ用保護具１００は、正面から見ると、図７のようになり、ゴルフバッグ本体Ｇ１の上側開口部の近傍を覆う形態となる。ゴルフバッグ本体Ｇ１の上側開口部近傍は、ゴルフクラブの抜き差しで、開口部端縁が擦れたり傷や汚れがつきやすい箇所である。また、ゴルフ場でのプレー中、ゴルフバッグ本体Ｇ１は、ゴルフバッグ上部カバーＧ３を外した状態でキャリーカートに搭載されて運搬されることが多く、ゴルフバッグ本体Ｇ１の上部をベルトで絞めたり、サイトバーで固定したうえで搬送されるので、ゴルフバッグ本体Ｇ１の上部は、重量負荷がかかりやすく、また、ベルトやサイドバーの接触による擦り傷もできやすい。ゴルフバッグ用保護具１００を用いれば、傷みやすく汚れやすいゴルフバッグ本体Ｇ１の上部を効率的に保護することができる。
【００３２】
さらに、ゴルフバッグ用保護具１００は、着脱が容易であるので、色や素材の異なるものを複数枚準備して、その日の気分、その日のファッションにあわせたデザインのゴルフバッグ用保護具１００を選択して装着することにより、ファッション性を高めることができる。ゴルフバッグ用保護具１００は、洗濯ができる素材のものも準備すれば、使用の都度、洗濯して清潔に保つことができ、衛生的でもある。
【００３３】
（実施の形態２）
次に、図８から図１４を示しながら、実施の形態２のゴルフバッグ保護具２００について説明する。
【００３４】
図８は、本考案の実施の形態２のゴルフバッグ用保護具２００を示す平面図であって、図９は底面図である。図１０及び図１１は、ゴルフバッグの構造を説明するための参考図である。図１２から図１４は、本考案の実施の形態２のゴルフバッグ用保護具２００の使用方法を説明するための参考斜視図である。
【００３５】
実施の形態２のゴルフバッグ用保護具２００は、本体１が略長方形状となっている。本体１の形状以外の構成は、実施の形態１と同様であるため説明を省略する。本体１が略長方形状となっていることで、製造の際、生地の裁断が容易であり、生地の余りや切れ端が出にくいので、生地を余すことなく使用することができ、製造コストを下げることができる。また、直線ラインの長方形というシンプルな形状であるため、上下逆でも使えて、装着が容易である。さらに、本体１の表裏両面に帯状の面ファスナー１５を設けて、表裏どちらも使用できるリバーシブルな仕様としてもよい。
【００３６】
（実施の形態３）
次に、図１３から図２１を示しながら、実施の形態３のゴルフバッグ保護具３００について説明する。
図１３は、本考案の実施の形態２のゴルフバッグ用保護具２００の使用方法を説明するための参考斜視図であって、図１４は底面図である。
【００３７】
実施の形態３のゴルフバッグ用保護具３００は、本体１の上部に、本体１の前側に垂らして使用する上辺の長辺と略同寸の長辺を有するシート形状のカバーシート６が設けられている。カバーシート６が設けられていること以外の構成は、実施の形態１と同様であるため説明を省略する。カバーシート６は、布又は樹脂シート等からなり、本体１の上側に設けられていて、ゴルフバッグ本体Ｇ１にゴルフバッグ用保護具３００を取り付けたのち、カバーシート６の部分を前側に折り返して本体１の前に垂らすようにして使用する。カバーシートは防水性のある素材または透明な素材として、本体１のデザインを引き立たせつつ、雨や汚れからゴルフバッグ及び本体１を保護したり、本体１の色と重ねたときに綺麗な配色となる色の生地を用いて、本体１との色合わせを楽しめるようデザイン性の高いものとしてもよい。
【００３８】
カバーシート６は、本体１の長辺と略同じ寸法の一辺を有するが、垂らす部分の寸法、つまり本体１と接しない辺の寸法は、長めにしてゴルフバッグ本体Ｇ１の中央近傍まで保護できるサイズとしたり、逆に短めにして、本体１も見えるようにして、本体１とカバーシート６との配色を楽しむデザインとしたり、様々なバリエーションをつけることが可能である。
【００３９】
カバーシート６は、本体１とファスナーやボタンで着脱可能な構成として、好みにあわせて、様々なカバーシート６を選択して、つけかえできる仕様としてもよい。また、イラストやデザインを描いたり、リボンやフリル等の装飾を施してもよい。名札入れや小物入れとなるポケットをつけてもよい。
【００４０】
図１５及び図１６は、ゴルフバッグの構造を説明するための参考図である。図１９から図２１は、本考案の実施の形態３のゴルフバッグ用保護具３００の使用方法を説明するための参考斜視図である。
【００４１】
実施の形態３のゴルフバッグ用保護具３００の使用方法について、第一取付具３をゴルフバッグ本体Ｇ１のゴルフバッグ側留め具Ｇ３に固定すること、その次に、第一取付具３の表面の第一固定具である面ファスナーを、本体１の裏面の面ファスナー１５に接着させて本体１をゴルフバッグ本体１に固定すること、紐状の第二取付具２をゴルフバッグ本体１の背面で、互いに結び合わせて固定することは、実施の形態１のゴルフバッグ用保護具１００と同様である。実施の形態３のゴルフバッグ用保護具３００は、本体１をゴルフバッグ本体Ｇ１に装着したあと、図２０及び図２１に示すように、カバーシート６を前側に折り返して、カバーシート６が本体１の前面に垂れ下がるようにする。このようにすることで、カバーシート６が本体１を補強し、ゴルフバッグ本体Ｇ１にかかる衝撃や重量負荷を緩衝し、本体１が汚れることも防止することができる。カバーシート６は留め具やボタンをつけて、本体１から着脱可能な構成としてもよい。
【符号の説明】
【００４２】
１００、２００、３００  ゴルフバッグ保護具
１  本体
１３  凸部
１４  凹部
１５  面ファスナー（ループ面）
２  第二取付具
３  第一取付具
３１  第一固定具
３２  第二固定具
４  第二取付具/
５  第一取付具
５１  第一固定具
５２  第二固定具
６  カバーシート
Ｇ１  ゴルフバッグ本体
Ｇ２  ゴルフバッグ上部カバー
Ｇ３  ゴルフバッグ側留め具
Ｐ  ゴルフクラブ
【図１】
0003234944.tif 000003
【図２】
0003234944.tif 000004
【図３】
0003234944.tif 000005
【図４】
0003234944.tif 000006
【図５】
0003234944.tif 000007
【図６】
0003234944.tif 000008
【図７】
0003234944.tif 000009
【図８】
0003234944.tif 000010
【図９】
0003234944.tif 000011
【図１０】
0003234944.tif 000012
【図１１】
0003234944.tif 000013
【図１２】
0003234944.tif 000014
【図１３】
0003234944.tif 000015
【図１４】
0003234944.tif 000016
【図１５】
0003234944.tif 000017
【図１６】
0003234944.tif 000018
【図１７】
0003234944.tif 000019
【図１８】
0003234944.tif 000020
【図１９】
0003234944.tif 000021
【図２０】
0003234944.tif 000022
【図２１】
0003234944.tif 000023